(57)【特許請求の範囲】
【請求項１】
遊技盤の取付孔に挿入して固定され、入球した遊技球を当りルートと外れルートのいずれか一方のルートへと振分けるパチンコ遊技機の振分装置において、
遊技盤面から突出するよう配置され、遊技盤面上を転動している遊技球が入球可能な入球口と、
前記入球口に入球した遊技球を、後方へ誘導する誘導通路と、
前記誘導通路により後方へ誘導され落下した遊技球を受止め、左右方向へ揺動させ、その後、前方へ誘導する後側揺動誘導面部と、
遊技盤面から突出するよう配置されて、前記後側揺動誘導面部により前方へ誘導され落下した遊技球を受止め、後方の当りルート又は外れルートのいずれか一方へ振り分けるように、左右方向へ揺動させて振り分け、その後、後方の前記当りルート又は前記外れルートのいずれか一方へと誘導する前側揺動誘導面部と、
を備え、
前記前側揺動誘導面部が、
前記後側揺動誘導面部から落下する遊技球を受け止めて左右に揺動させ、後方の前記当りルート又は前記外れルートのいずれかに振り分けるための山部と、
該山部を間にして左右方向で隣り合い、前記山部で揺動した遊技球を落ち着かせて、前記当りルート又は前記外れルートのいずれかに案内する谷部と、
を備え、
前記後側揺動誘導面部が、前記誘導通路からの遊技球を前方移動させて、前記前側揺動誘導面部の前記山部上に、前端から落下させる谷部、を備えることを特徴とするパチンコ遊技機の振分装置。
【請求項２】
前記誘導通路が、後方へ誘導する遊技球を、ほぼ遊技球１個分だけ後方へ誘導する構成とし、
前記後側揺動誘導面部が、前方へ誘導する遊技球を、ほぼ遊技球１個分だけ前方へ誘導する構成としていることを特徴とする請求項１に記載のパチンコ遊技機の振分装置。
【発明の詳細な説明】
【技術分野】
【０００１】
本発明は、パチンコ遊技機の振分装置、詳しくは、遊技盤の取付孔に挿入して固定され、入球した遊技球を当りルートと外れルートのいずれか一方へと振分けるパチンコ遊技機の振分装置に関する。
【背景技術】
【０００２】
従来から、パチンコ遊技機の振分装置として、特許文献１に記載される振分装置が知られている。
【０００３】
特許文献１記載の振分装置は、遊技盤の取付孔に挿入して固定される振分装置である。この振分装置は、遊技盤面上を転動した遊技球が振分装置に入球すると、この遊技球を最後部の揺動誘導面部（第１段目の揺動誘導面部）まで案内し、この揺動誘導面部の上で遊技球を揺動させ、遊技球の揺動が終息すると遊技球を前後方向中央部の揺動誘導面部（第２段目の揺動誘導面部）に誘導する。第２段目の揺動誘導面部は、この揺動誘導面部の上で遊技球を揺動させ、遊技球の揺動が終息すると遊技球を最前部の揺動誘導面部（第３段目の揺動誘導面部）に誘導する。第３段目の揺動誘導面部は、この揺動誘導面部の上で遊技球を揺動させ、揺動が終息したとき、遊技球が始動入賞口の真上に位置する場合には、遊技球は当りルートへ振り分けられたこととなり、始動入賞口への遊技球の入賞の確率を高くし、他方、揺動が終息したとき、遊技球が始動入賞口の真上以外に位置する場合には、遊技球は外れルートへ振り分けられたこととなり、始動入賞口への遊技球の入賞を極めて低くする。
【特許文献１】特開２００１−３３４０３１公報
【発明の開示】
【発明が解決しようとする課題】
【０００４】
しかし、上記従来の振分装置によると、第３段目の揺動誘導面部の前端の前後方向位置は、遊技盤面（遊技盤の表面）とほぼ同じ位置にあり、かつ、第３段目の揺動誘導面部の後方に第２段目の揺動誘導面部、第１段目の揺動誘導面部が順に繋がって設けられた構成であるため、当該振分装置の前後方向の寸法が大きく、装置が大型化するとともに、当該振分装置を遊技盤に取り付けたときに、振分装置が遊技盤の裏面から後方へ大きく突出するため、設計の自由度が低下するなどの問題がある。
【０００５】
本発明は、上記のような従来技術の問題点を解決し、当該振分装置の前後方向の寸法の縮小化による振分装置の小型化を図るとともに、当該振分装置を遊技盤に取り付けたときに遊技盤の裏面から後方へ突出する長さを縮小化させ、設計の自由度の向上などを図ることができる振分装置を提供することを目的とする。
【課題を解決するための手段】
【０００６】
本発明のパチンコ遊技機の振分装置は、遊技盤の取付孔に挿入して固定され、入球した遊技球を当りルートと外れルートのいずれか一方のルートへと振分けるパチンコ遊技機の振分装置において、
遊技盤面から突出するよう配置され、遊技盤面上を転動している遊技球が入球可能な入球口と、
前記入球口に入球した遊技球を、後方へ誘導する誘導通路と、
前記誘導通路により後方へ誘導され落下した遊技球を受止め、左右方向へ揺動させ、その後、前方へ誘導する後側揺動誘導面部と、
遊技盤面から突出するよう配置されて、前記後側揺動誘導面部により前方へ誘導され落下した遊技球を受止め、後方の当りルート又は外れルートのいずれか一方へ振り分けるように、左右方向へ揺動させて振り分け、その後、後方の前記当りルート又は前記外れルートのいずれか一方へと誘導する前側揺動誘導面部と、
を備え、
前記前側揺動誘導面部が、
前記後側揺動誘導面部から落下する遊技球を受け止めて左右に揺動させ、後方の前記当りルート又は前記外れルートのいずれかに振り分けるための山部と、
該山部を間にして左右方向で隣り合い、前記山部で揺動した遊技球を落ち着かせて、前記当りルート又は前記外れルートのいずれかに案内する谷部と、
を備え、
前記後側揺動誘導面部が、前記誘導通路からの遊技球を前方移動させて、前記前側揺動誘導面部の前記山部上に、前端から落下させる谷部、を備えることを特徴とする。
なお、前記誘導通路は、後方へ誘導する遊技球を、ほぼ遊技球１個分だけ後方へ誘導する構成とし、前記後側揺動誘導面部は、前方へ誘導する遊技球を、ほぼ遊技球１個分だけ前方へ誘導する構成とすることが望ましい。
【０００７】
本発明の振分装置によると、遊技盤面上を転動し、入球口に入球した遊技球は、誘導通路によってほぼ遊技球１個分だけ後方へ誘導され、落下して後側揺動誘導面部に受止められ、この後側揺動誘導面部の上で揺動した後、ほぼ遊技球１個分だけ前方へ誘導され、落下して前側揺動誘導面部に受止められ、この前側揺動誘導面部の上で揺動した後、後方の当りルート又は外れルートのいずれか一方へと誘導される。
【０００８】
このため、入球口及び前側揺動誘導面部は、遊技盤面から突出した位置に配されるとともに、後側揺動誘導面部の少なくとも一部は、遊技盤の取付孔の内側に位置することになり、当該振分装置の前後方向の寸法が縮小化され装置が小型化するとともに、当該振分装置を遊技盤に取り付けた際、遊技盤の裏面から後方へ突出する長さが縮小し、設計の自由度の向上などを図ることができる。
【発明を実施するための最良の形態】
【０００９】
以下、本発明の実施形態を図面に基づいて説明する。
【００１０】
図１は、本発明の一実施形態に係る振分装置が組み込まれたパチンコ遊技機の遊技盤の正面図、図２は、振分装置の斜視図、図３は、振分装置の分解斜視図、図４は、振分装置から正面カバー体を取り外した後の振分装置の斜視図、図５は、遊技盤に取り付けられた振分装置の要部断面図、図６は、前側揺動誘導部材の背面図をそれぞれ示す。
【００１１】
図１において、振分装置１００は、遊技盤２００の下部に組み込まれている。
【００１２】
図２〜図５において、振分装置１００は、遊技盤面（遊技盤の正面）２０１にねじで固定されるベースプレート１を備える。
【００１３】
ベースプレート１は、ほぼ四角形状の窓孔２を有する。窓孔２の上端中央部には半円状の切欠部３が形成されており、この切欠部３の周縁部から後方に、ほぼ遊技球１個分の長さだけ、ほぼ半円筒状のフード部４が延設されている。また、窓孔２の下端部の後方に、後述する後側揺動誘導部材１９を支持する支持部５が延設されている。
【００１４】
ベースプレート１の表面（前面）には、表面カバー体６が固着される。
【００１５】
表面カバー体６は、多角形の枠形状に形成されており、ほぼ遊技球１個分の厚さを有する。表面カバー体６は、前面に窓孔７を有し、この窓孔７は透明樹脂板８で塞がれ、表面カバー体６の内部は視認することができる。
【００１６】
表面カバー体６の上端中央部には、入球口９及び誘導通路１０が形成されている。入球口９は、上方へ開口しており、遊技盤面２０１上を転動している遊技球が入球可能である。誘導通路１０は、入球口９の下方に位置し、入球口９に入球した遊技球を受止め、ほぼ遊技球１個分だけ後方へ誘導する後下がりの傾斜部１１を有する。誘導通路１０の前面開口部１２は、小カバー体１３で塞がれる。
【００１７】
表面カバー体６の下端部の収容凹部１４には、後方から前側揺動誘導部材１５が挿入、収容される。
【００１８】
前側揺動誘導部材１５の上面は前側揺動誘導面部１６を構成する。前側揺動誘導面部１６は、左右方向に３つの谷部１７を有し、互いに隣り合う谷部１７の間に山部１８が形成されている。各谷部１７は、図６に示すように、後下がりの傾斜面によって形成されている。前側揺動誘導面部１６は、後述する後側揺動誘導面部２３の前端から落下してくる遊技球を山部１８で受止め、左右方向へ揺動させた後、遊技球を、後方の後述する当りルート２８又は外れルート２９のいずれかのルートに振り分ける。
【００１９】
ベースプレート１の窓孔２の後面には、後側揺動誘導部材１９が配される。
【００２０】
後側揺動誘導部材１９は、上端中央部に、上下方向の貫通孔２０を有する入賞スイッチ２２と、後壁部２１とを有する。貫通孔２０は、ベースプレート１のフード部４の真下に位置し、表面カバー体６の誘導通路１０によって後方へ誘導されてきた遊技球を下方へ誘導する。また、後壁部２１は、フード部４の後端開口部を塞ぎ、誘導通路１０によって後方へ誘導されてきた遊技球を受け止め貫通孔２０へ誘導する。
【００２１】
貫通孔部２０の下方に、後側揺動誘導面部２３が配置される。後側揺動誘導面部２３は、左右方向に２つの谷部２４を有し、互いに隣り合う谷部２４の間に山部２５が形成されている。各谷部２４は、前下がりの傾斜面によって形成されている。後側揺動誘導面部２３は、貫通孔２０から落下してきた遊技球を受止め、左右方向へ揺動させた後、ほぼ遊技球１個分だけ遊技球を前方へ誘導し、前端から前側揺動誘導面部１６へ誘導する。
【００２２】
後側揺動誘導部材１９の前面部の下端部に、開口部２６が３つ左右方向に並んで設けられている。３つの開口部２６は、後側揺動誘導面部２３の下方に位置すると共に前側揺動誘導部材１９の３つの谷部１７に対向し、前側揺動誘導部材１５の谷部１７の上の遊技球を通過させて後方の当りルート２８又は外れルート２９へ案内する。
【００２３】
後側揺動誘導部材１９の開口部２６の後面に、ルート形成部材２７が配置される。ルート形成部材２７は、左右方向の中央部に位置する１つの当りルート２８と、当りルート２８の左側及び右側に位置する２つの外れルート２９を形成する。各ルート２８、２９は、後側揺動誘導部材１９の開口部２６から後方へ延びる水平通路部３０と、水平通路部３０の後端から下方へ垂直に延びる垂直通路部３１とによって構成される。当りルート２８の垂直通路部３１には、当りルート２８を通過する遊技球を検知するための当りスイッチ３２が配設される。
【００２４】
振分装置１００は、図５に示すように、遊技盤２００の貫通した取付孔２０２に挿入され、ねじ等で固定されている。
【００２５】
次に、上記のように構成される振分装置１００の作用を説明する。
【００２６】
遊技盤面２０１上を転動している遊技球が振分装置１００の入球口９に上方から入球すると、遊技球は、誘導通路１０の傾斜部１１によって後方へ誘導され、入賞スイッチ２２の貫通孔２０を通過して後側揺動誘導面部２３の山部２５の上に落下する。遊技球が貫通孔２０を通過するとき、入賞スイッチ２２はオンし、主基板（図示せず。）は、振分装置１００に遊技球が入賞したことを認識し、賞球払出装置（図示せず。）に対して所定個数の賞球の払出を指示する。
【００２７】
後側揺動誘導面部２３の山部２５の上に落下した遊技球は、後側揺動誘導面部２３において左右方向へ揺動し、揺動が終息して２つの谷部２４のうちのいずれか一方の谷部２４に落ち着くと、この谷部２４の前下がりの傾斜面により前方へ移動し、谷部２４の前端から前側揺動誘導面部１６の対応する山部１８の上に落下する。
【００２８】
前側揺動誘導面部１６の山部１８の上に落下した遊技球は、前側揺動誘導面部１６において左右方向へ揺動し、揺動が終息して３つの谷部１７のうちのいずれかの谷部１７に落ち着くと、この谷部１７の後下がりの傾斜面により後方へ移動し、後側揺動誘導部材１９の対応する開口部２６を通過して、ルート形成部材２７の当りルート２８又は２つの外れルート２９のうちのいずれかのルート２８又は２９に振り分けられる。
【００２９】
遊技球が当りルート２８に振り分けられた場合、遊技球が垂直通路部３１を通過するときに当りスイッチ３２がオンし、主基板（図示せず。）は、当りルート２８に遊技球が振り分けられたことを認識し、振分装置１００の電動式可動部材３３（図１参照）を駆動して当り状態にする指示を行い、振分装置１００への遊技球の入賞を可能にする。
【００３０】
他方、遊技球が外れルート２９に振り分けられた場合、遊技球は水平通路部３０と垂直通路部３１を通過して、パチンコ遊技機の外へ排出される。
【００３１】
以上説明したように、本実施形態は、遊技盤２００の取付孔２０２に挿入して固定され、入球した遊技球を当りルート２８と外れルート２９のいずれか一方のルートへと振分けるパチンコ遊技機の振分装置１００であり、遊技盤面２０１から突出するよう配置され、遊技盤面２０１上を転動している遊技球が入球可能な入球口９と、入球口９に入球した遊技球を、ほぼ遊技球１個分だけ後方へ誘導する誘導通路１０と、誘導通路１０により後方へ誘導され落下した遊技球を受止め、左右方向へ揺動させ、その後、ほぼ遊技球１個分だけ前方へ誘導する後側揺動誘導面部２３と、後側揺動誘導面部２３により前方へ誘導され落下した遊技球を受止め、左右方向へ揺動させ、その後、後方の当りルート２８又は外れルート２９のいずれか一方へと誘導する前側揺動誘導面部１６とを備える。
【００３２】
本実施形態の振分装置１００によると、遊技盤面２０１上を転動し、入球口９に入球した遊技球は、誘導通路１０によってほぼ遊技球１個分だけ後方へ誘導され、落下して後側揺動誘導面部２３に受止められ、この後側揺動誘導面部２３の上で揺動した後、ほぼ遊技球１個分だけ前方へ誘導され、落下して前側揺動誘導面部１６に受止められ、この前側揺動誘導面部１６の上で揺動した後、後方の当りルート２８又は外れルート２９のいずれか一方へと誘導される。
【００３３】
このため、入球口９及び前側揺動誘導面部１６は、遊技盤面２０１から突出した位置に配されるとともに、後側揺動誘導面部２３の少なくとも一部は、遊技盤２００の取付孔２０２の内側に位置することになり、当該振分装置１００の前後方向の寸法が縮小化され装置が小型化するとともに、当該振分装置１００を遊技盤２００に取り付けた際、遊技盤２００の裏面から後方へ突出する長さが縮小し、設計の自由度の向上などを図ることができる。
【図面の簡単な説明】
【００３４】
【図１】本発明の一実施形態に係る振分装置が組み込まれたパチンコ遊技機の正面図である。
【図２】振分装置の斜視図である。
【図３】振分装置の分解斜視図である。
【図４】振分装置から正面カバー体を取り外した後の振分装置の斜視図である。
【図５】遊技盤に取り付けられた振分装置の要部断面図である。
【図６】前側揺動誘導部材の背面図である。
【符号の説明】
【００３５】
９    入球口
１０    誘導通路
１６    前側揺動誘導面部
２３    後側揺動誘導面部
２８    当りルート
２９    外れルート
１００    振分装置
２００    遊技盤
２０１    遊技盤面
２０２    取付孔
【図１】
0004733100.tif 000002
【図２】
0004733100.tif 000003
【図３】
0004733100.tif 000004
【図４】
0004733100.tif 000005
【図５】
0004733100.tif 000006
【図６】
0004733100.tif 000007